(57)【要約】  【課題】互いに向かい合って着座した着座者同士の目線が合わないようにデスクトップパネルを設けつつ、着座者が利用する天板の使用領域の左右いずれか一方側の奥行き寸法を他方よりも大きくする態様を選択できるようにする。  【解決手段】天板付き家具Ｔに、天板１と、この天板１の上方に設けられるデスクトップパネル３と、このデスクトップパネル３の幅方向中間部分を水平旋回可能に支持するパネル支持部材４とを具備させる。  【選択図】図２
2008259714.tif 000002
【特許請求の範囲】
【請求項１】
天板と、この天板の上方に設けられるデスクトップパネルと、このデスクトップパネルの幅方向中間部分を水平旋回可能に支持するパネル支持部材とを具備することを特徴とする天板付き家具。
【請求項２】
前記天板の対向する２辺を使用端縁としているとともに、前記デスクトップパネルをこの天板の奥行き方向中央部の上方に設けていることを特徴とする請求項１記載の天板付き家具。
【請求項３】
前記デスクトップパネルの下端縁を天板面より上方に配していることを特徴とする請求項１又は２記載の天板付き家具。
【請求項４】
前記デスクトップパネルの下方に電源コンセント又は情報コンセントの少なくとも一方を配置可能なコンセント受具を設けていることを特徴とする請求項３記載の天板付き家具。
【請求項５】
前記天板の対向する２辺を使用端縁としているとともに、前記コンセント受具を２つ設け、これら２つのコンセント受具を前記パネル支持部材を挟んで幅方向に離間させて配しているとともに、一方のコンセント受具を一方の使用端縁に向けて開口させ、他方のコンセント受具を他方の使用端縁に向けて開口させていることを特徴とする請求項４記載の天板付き家具。
【請求項６】
前記デスクトップパネルの下方に天板の上方と天板の下方とを連通する配線挿通孔を設けていることを特徴とする請求項３記載の天板付き家具。
【請求項７】
前記デスクトップパネルの回動端に、天板に接して前記デスクトップパネルを下方から支持するパネル支持脚を設けていることを特徴とする請求項３、４、５又は６記載の天板付き家具。
【発明の詳細な説明】
【技術分野】
【０００１】
本発明は、会議用等に用いられ、天板が複数の天板要素を有するとともに、天板を支持する支持構造体の姿勢を、天板の平面視形状が略矩形状となるよう各天板要素を支持する通常姿勢と、天板の平面視形状が雁行形状となるように各天板要素を支持する雁行姿勢との間で選択可能な天板付き家具に関する。
【背景技術】
【０００２】
従来より、複数名の使用に供すべく用いられる天板付き家具として、平面視細長い矩形状をなす天板を有し、この天板の少なくとも一方の長辺を使用端縁とし、使用端縁に沿って複数名が着座する態様のものや、天板の対向する２辺を使用端縁とし、各使用端縁にそれぞれ１名以上着座する態様のものが広く知られている（例えば、特許文献１、２を参照）。
【特許文献１】特開２００４−２７５３１４号公報
【特許文献２】特開２００４−１５９７１３号公報
【発明の開示】
【発明が解決しようとする課題】
【０００３】
ところで、このような天板付き家具の天板面を執務用スペースとして使用する際、天板の対向する２辺を使用端縁とした天板付き家具であれば、２名の着座者が向き合って着座するようにすることが多い。また、一方の長辺のみを使用端縁とした天板付き家具であれば反使用端縁に同一の天板形状を有するもう１つの天板付き家具の天板を突き合わせ、２つの天板付き家具の各使用端縁に着座した着座者同士が向き合う状態となることが多い。その際、両使用端縁に着座した着座者間の目線が合わないようにするために、天板の対向する２辺を使用端縁とした天板付き家具であれば天板の奥行き方向中央部、２つの天板付き家具を突き合わせる使用態様であればこれら天板付き家具の天板の反使用端縁のそれぞれ上方に、前記特許文献１、２に記載されているようなデスクトップパネルを設けることがある。
【０００４】
その一方で、このような天板付き家具に着座した着座者が使用する天板の使用領域は、前記特許文献１、２記載の構成では矩形状であるが、この領域の形状を、天板自体の形状を変更することなく、着座者に対して天板の使用領域の左右いずれか一方側の奥行き寸法が他方よりも大きくなるようにし、奥行き寸法が大きくなる側にモニタディスプレイや照明器具などの器具を載置しやすいようにする要望がある。しかして、前記特許文献１、２記載の構成では、デスクトップパネルは、パネル面が使用端縁に沿って延伸する状態に固定して設けられるので、このような要望に対応することが困難である。
【０００５】
本発明は、以上に述べた課題を解決すべく構成するものである。
【課題を解決するための手段】
【０００６】
すなわち本発明に係る天板付き家具は、天板と、この天板の上方に設けられるデスクトップパネルと、このデスクトップパネルの幅方向中間部分を水平旋回可能に支持するパネル支持部材とを具備することを特徴とする。
【０００７】
このようなものであれば、デスクトップパネルを水平旋回させることにより、デスクトップパネルのパネル面が天板の使用端縁に平行である状態と、デスクトップパネルのパネル面が天板の使用端縁に対して傾斜する状態とを選択できる。すなわち、天板の使用領域を矩形状とする態様と、着座者に対して天板の使用領域の左右いずれか一方側の奥行き寸法を他方よりも大きくする態様とを選択できる。従って、例えば着座者に対して天板の使用領域の左右いずれか一方側の奥行き寸法を他方よりも大きくし、奥行き寸法を大きくした側に各着座者が使用するモニタディスプレイをそれぞれ配置し、互いに対向する着座者間の目線が合わないようにする態様を実現しやすくできる。
【０００８】
特に、１つの天板付き家具に複数名が対面して着座する使用形態に好適な態様として、前記天板の対向する２辺を使用端縁としているとともに、前記デスクトップパネルをこの天板の奥行き方向中央部の上方に設けているものが挙げられる。このようなものであれば、このデスクトップパネルの前後両側をそれぞれ両使用端縁に着座した着座者が使用するようにしつつ、この両着座者が使用する天板面の領域の形状を、上述したように矩形状と左右何れか一方側の奥行き寸法が大きな形状との間で選択可能となるからである。
【０００９】
また、天板面上に配線等を配してなる場合にデスクトップパネルと該配線等との干渉を避けることができるようにするための態様として、前記デスクトップパネルの下端縁を天板面より上方に配しているものが挙げられる。
【００１０】
また、デスクトップパネルとの干渉を避けつつこのデスクトップパネル下方の空間を配線空間として使用するための好適な態様として、前記デスクトップパネルの下方に電源コンセント又は情報コンセントの少なくとも一方を配置可能なコンセント受具を設けているものが挙げられる。
【００１１】
特に、天板の対向する両使用端縁にそれぞれ着座する使用形態に好適な態様として、前記コンセント受具を２つ設け、これら２つのコンセント受具を前記パネル支持部材を挟んで幅方向に離間させて配しているとともに、一方のコンセント受具を一方の使用端縁に向けて開口させ、他方のコンセント受具を他方の使用端縁に向けて開口させているものが挙げられる。このようなものであれば、両使用端縁に着座した着座者がそれぞれ自分に向かう側のコンセント受具に配置した電源コンセントないし情報コンセントを使用できるからである。
【００１２】
一方、デスクトップパネルとの干渉を避けつつこのデスクトップパネル下方の空間を配線空間として使用するための他の態様として、前記デスクトップパネルの下方に天板の上方と天板の下方とを連通する配線挿通孔を設けているものも挙げられる。
【００１３】
さらに、このようなデスクトップパネルをより安定して支持させるための態様として、前記デスクトップパネルの回動端に、天板に接して前記デスクトップパネルを下方から支持するパネル支持脚を設けているものが挙げられる。
【発明の効果】
【００１４】
本発明に係る天板付き家具は、天板の上方に設けられるデスクトップパネルと、このデスクトップパネルの幅方向中間部分を水平旋回可能に支持するパネル支持部材とを具備するので、このデスクトップパネルを水平旋回させることにより、デスクトップパネルのパネル面が天板の使用端縁に平行である状態と、デスクトップパネルのパネル面が天板の使用端縁に対して傾斜する状態とを選択できる。すなわち、天板の使用領域を矩形状とする態様と、着座者に対して天板の使用領域の左右いずれか一方側の奥行き寸法を他方よりも大きくする態様とを選択できるので、例えば着座者に対して天板の使用領域の左右いずれか一方側の奥行き寸法を他方よりも大きくし、奥行き寸法を大きくした側に各着座者が使用するモニタディスプレイをそれぞれ配置し、互いに対向する着座者間の目線が合わないようにする等、より幅広い使用態様に対応できる。
【発明を実施するための最良の形態】
【００１５】
以下、本発明の一実施の形態について図面を参照して説明する。
【００１６】
本実施形態に係る天板付き家具Ｔは、図１に全体斜視図、図２に平面図、図３に正面図、図４に要部の拡大斜視図をそれぞれ示すように、天板１と、この天板１を支持する支持構造体２と、前記天板１上方に配したデスクトップパネル３と、このデスクトップパネル３の幅方向中間部分を水平旋回可能に支持するパネル支持部材４とを具備する。
【００１７】
前記天板１は、前記図１〜図３に示すように、平面視略矩形状をなし、対向する２辺それぞれを使用端縁１ａ、１ａとしている。本実施形態では、各使用端縁１ａ、１ａにそれぞれ２名ずつ着座可能にしている。また、奥行き方向中央部には、この天板１上方の空間とこの天板１下方の空間とを連通する配線挿通孔１ｘを設けている。この配線挿通孔１ｘは、本実施形態では２箇所に設けている。すなわち、各使用端縁１ａ、１ａに着座した各着座者が利用する天板面１ｍの領域において、幅方向中央部に配線挿通孔１ｘが位置するようにしている。また、この配線挿通孔１ｘ内には、電源コンセント及び情報コンセントを収納可能なコンセント受具５を配している。前記図４には、この配線挿通孔１ｘ近傍の拡大図を示している。このコンセント受具５は、配線挿通孔１ｘ内の左右両側にそれぞれ設けられる。また、このコンセント受具５は、両側面をそれぞれ形成し天板面１ｍから起立するとともに一方の使用端縁１ａ側から他方の使用端縁１ａ側に向かい高さ寸法が漸次大きくなる形状を有する左右１対の側枠５１、５１と、これら左右１対の側枠５１、５１の上端縁間を接続する上枠５２と、これら側枠５１、５１及び上枠５２により区画されるコンセント取付口５ｘとを有する。ここで、一方のコンセント受具５のコンセント取付口５ｘは一方の使用端縁１ａに向いて開口する。また、他方のコンセント受具５のコンセント取付口５ｘは他方の使用端縁１ａに向いて開口する。
【００１８】
前記支持構造体２は、この種の会議用テーブルの天板を支持する支持構造体として周知のものと同様の構成を有する。すなわち、前記図１〜図３に示すように、天板１の下方に設けられる支持枠体２１、及び天板１の隅部の下方に設けられる端部脚体２２を有する。さらに本実施形態では、この支持構造体２は、天板１の幅方向中央部の下方に設けられる中間脚体２３をさらに有する。
【００１９】
前記デスクトップパネル３は、上述したように、また、前記図１〜図４に示すように、前記天板１の上方に、より正確には前記コンセント受具５の上方に配されてなる。また、このデスクトップパネル３の下端縁３ｋは、前記天板１の天板面１ｍよりも上方に配している。すなわち、このデスクトップパネル３の下端縁３ｋと前記天板１の天板面１ｍとの間の空間を、電源ケーブル及び情報ケーブルを挿通可能であるとともに前記コンセント受具５を配置可能な配線挿通空間Ｓとしている。加えて、このデスクトップパネル３の回動端、すなわち前記コンセント受具５より外側となる位置に、天板１に接して前記デスクトップパネル３を下方から支持するパネル支持脚３１を設けている。このパネル支持脚３は、前記デスクトップパネル３から下方に延伸する支柱３２と、この支柱３２の下方に位置し天板１に接するベース３３とを具備する。
【００２０】
前記パネル支持部材４は、本実施形態では、このパネル支持部材４を介したデスクトップパネルの取付態様を示す分解斜視図である図５に示すように、前記デスクトップパネル３の幅方向中央部の下方に設けてなる回転軸部４１と、この回転軸部４１の下方に配してなり天板１の下面に取り付けられ前記デスクトップパネル３及び回転軸部４１を下方から支持する支持部４２とを具備する。ここで、前記回転軸部４１は、本実施形態では２つのコンセント受具５、５間に配している。すなわち、２つのコンセント受具５、５を、このパネル支持部材４を挟んで幅方向に離間させて配している。また、前記回転軸部４１は、前記支持部４２に下方から支持されるガイド部材４１１と、デスクトップパネル３下方に取り付けられこのガイド部材４１１内部の軸挿通孔４１１ｘ内に摺動可能に配される軸部材４１２とを有する。そして、このパネル支持部材４は、前記デスクトップパネル３を両方向に水平旋回可能に支持する。
【００２１】
ここで、本実施形態における天板付き家具Ｔの使用態様について述べる。
【００２２】
この天板付き家具Ｔは、上述したように天板１の対向する２辺を使用端縁１ａとしていて、両使用端縁１ａ、１ａにそれぞれ着座するようにしている。ここで、互いに対向する着座者が矩形状の領域を使用したい場合には、デスクトップパネル３を、パネル面３ａ、３ａが使用端縁１ａ、１ａに平行である図２の実線に示すような平行位置に配する。一方、互いに対向する着座者の使用領域の右側又は左側のうち一方の奥行き寸法を、他方の奥行き寸法よりも大きくしたい場合には、デスクトップパネル３の着座者から見て前記奥行き寸法を大きくしたい側が奥に位置するように、デスクトップパネル３を水平旋回させ、図２の想像線に示すような位置まで移動させる。
【００２３】
本実施形態に係る天板付き家具Ｔは、以上に述べたような構成を有するので、このような構成を採用することにより、以下のような効果が得られる。
【００２４】
すなわち、本実施形態に係る天板付き家具Ｔは、天板１と、この天板１の上方に設けられるデスクトップパネル３と、このデスクトップパネル３の幅方向中間部分を水平旋回可能に支持するパネル支持部材４とを具備するので、デスクトップパネル３を水平旋回させることにより、デスクトップパネル３のパネル面３ａ、３ａが天板１の使用端縁１ａ、１ａに平行である状態と、デスクトップパネル３のパネル面３ａ、３ａが天板１の使用端縁１ａ、１ａに対して傾斜する状態とを選択できる。すなわち、天板１の使用領域を矩形状とする態様と、着座者に対して天板１の使用領域の左右いずれか一方側の奥行き寸法を他方よりも大きくする態様とを選択できるので、例えば着座者に対して天板１の使用領域の左右いずれか一方側の奥行き寸法を他方よりも大きくし、奥行き寸法を大きくした側に各着座者が使用するモニタディスプレイをそれぞれ配置し、互いに対向する着座者間の目線が合わないようにする等、より幅広い使用態様に対応できる。
【００２５】
また、前記天板１の対向する２辺を使用端縁１ａ、１ａとしているとともに、前記デスクトップパネル３をこの天板１の奥行き方向中央部の上方に設けているので、このデスクトップパネル３の前後両側をそれぞれ両使用端縁１ａ、１ａに着座した着座者が使用するようにしつつ、この両着座者が使用する天板面の領域の形状が、上述したように矩形状と左右何れか一方側の奥行き寸法が大きな形状との間で選択可能となり、この天板付き家具Ｔに複数名が対面して着座する使用形態に好適に対応できる。
【００２６】
さらに、前記デスクトップパネル３の下端縁３ｋを天板面１ｍより上方に配しているので、天板面１ｍ上に配線等を配してなる場合にデスクトップパネル３と該配線等との干渉を避けることができる。
【００２７】
加えて、前記デスクトップパネル３の下方に天板１の上方と天板の下方とを連通する配線挿通孔１ｘを設けているとともに、この配線挿通孔１ｘ内に電源コンセント又は情報コンセントの少なくとも一方を配置可能なコンセント受具５を設けているので、デスクトップパネル３との干渉を避けつつこのデスクトップパネル３下方の天板面１ｍとの間の空間を配線空間Ｓとして使用することができる。
【００２８】
さらに、前記配線挿通孔１ｘ内にコンセント受具５を２つ設け、これら２つのコンセント受具５を前記パネル支持部材４を挟んで幅方向に離間させて配しているとともに、一方のコンセント受具５を一方の使用端縁１ａに向けて開口させ、他方のコンセント受具５を他方の使用端縁１ａに向けて開口させているので、両使用端縁１ａ、１ａに着座した着座者がそれぞれ自分に向かう側に開口するコンセント受具５に配置した電源コンセントないし情報コンセントを使用でき、天板１の対向する両使用端縁１ａ、１ａにそれぞれ着座する使用形態に好適に対応できる。
【００２９】
そして、前記デスクトップパネル３の回動端に、天板１に接して前記デスクトップパネル３を下方から支持するパネル支持脚３１を設けているので、このようなデスクトップパネル３をがたなくより安定して支持させることができる。
【００３０】
なお、本発明は以上に述べた実施形態に限られない。
【００３１】
例えば、１辺のみを使用端縁とした天板と、この天板の反使用端縁近傍の上方に配したデスクトップパネルと、このデスクトップパネルを水平旋回可能に支持するパネル支持部材とを具備する態様を採用してもよい。このような態様であっても、反使用端縁に通常の天板付き家具を突き合わせて配置すれば、上述した実施形態に係る天板付き家具と同様の効果が得られる。
【００３２】
また、天板に配線挿通孔を必ずしも設ける必要はなく、コンセント受具を省略して配線挿通孔に電源ケーブルないし情報ケーブルを挿通させるようにしてもよい。さらに、コンセント受具に電源コンセントや情報コンセントを支持させる代わりに、このコンセント受具の開口から使用端縁に向けて電源ケーブルないし情報ケーブルを引き出す態様を採用してもよい。
【００３３】
加えて、パネル支持部材の剛性が十分高いものであれば、パネル支持脚は必ずしも設ける必要はない。
【００３４】
さらに、上述した実施形態の変形として以下に述べるような天板付き家具Ｔが考えられる。ここで、上述した実施形態におけるものに対応する部位には同一の名称及び符号を付す。この天板付き家具Ｔは、天板１の使用端縁１ａ、１ａに沿って延伸する配線挿通孔１ｘを天板１の両側端部及びその近傍を除く全領域にわたって奥行き方向中央部に設けている。また、この天板付き家具Ｔは、上述した実施形態におけるものと同様、各使用端縁に２名ずつが着座可能である。しかして、この天板付き家具Ｔでは、平面図を図６に示すように、１名分ずつの使用領域ごとにデスクトップパネル３を配置することができる。各デスクトップパネル３は、いずれも、前記図６の実線に示すように、パネル面３ａを天板１の使用端縁１ａに沿うようにして各着座者に矩形状の作業領域を供給する態様と、同図の想像線に示すように、パネル面３ａを天板１の使用端縁１ａに対して傾斜させ、各着座者に左右何れか一方の奥行き寸法が他方よりも大きな形状の作業領域を供給する態様とを、デスクトップパネル３を水平旋回させることにより実現できるようにしている。さらに、この天板付き家具Ｔは、デスクトップパネル３の幅方向位置を変更可能にしている。例えば、天板１の配線挿通孔１ｘの一端部よりも外方の部位を別用途に供する等の目的で区画すべく、平面図を図７に示すように、デスクトップパネル３より天板の外側端部側を配線挿通孔１ｘの一端部に１つのデスクトップパネル３を配置し、このデスクトップパネル３が天板１の使用端縁１ａ、１ａに直交する方向を向くように配置することもできる。なお、この天板付き家具Ｔのその他の部位は、上述した実施形態におけるものと同様である。
【００３５】
そして、パネル支持部材は、上述した実施形態に係るもののような回転軸部と支持部とからなる構成以外の構成を採用してもよい。
【００３６】
その他、本発明の趣旨を逸脱しない範囲で種々変形が可能である。
【図面の簡単な説明】
【００３７】
【図１】本発明の一実施形態に係る天板付き家具を示す全体斜視図。
【図２】同実施形態に係る天板付き家具を示す平面図。
【図３】同実施形態に係る天板付き家具を示す正面図。
【図４】同実施形態に係る天板付き家具の要部を示す斜視図。
【図５】同実施形態に係る天板付き家具の天板に対するデスクトップパネルの取付態様を示す分解斜視図。
【図６】本発明の他の実施態様に係る天板付き家具を示す平面図。
【図７】本発明の他の実施態様に係る天板付き家具を示す平面図。
【符号の説明】
【００３８】
Ｔ…天板付き家具
１…天板
１ａ…使用端縁
１ｍ…天板面
１ｘ…配線挿通孔
３…デスクトップパネル
４…パネル支持部材
５…コンセント受具
【図１】
2008259714.tif 000003
【図２】
2008259714.tif 000004
【図３】
2008259714.tif 000005
【図４】
2008259714.tif 000006
【図５】
2008259714.tif 000007
【図６】
2008259714.tif 000008
【図７】
2008259714.tif 000009